(57)【要約】【課題】パネルや支柱に取付のための特殊な加工を施すことなく容易に支柱に対してパネルを着脱或いは交換できるパネル支持用クリップを提供すること【解決手段】２つの支柱Ｈ１，Ｈ２間に外部パネル２を着脱自在に取付けるためのパネル用クリップ１ｃであって、このパネル用クリップ１ｃが、各支柱Ｈ１，Ｈ２の任意の位置に取付けられると共に、パネル２がそのパネル面に沿って挿入可能なパネル差込口８ａ，８ｂを有する構成とすることで、パネル２や、支柱Ｈ１，Ｈ２に特殊な加工を施すことなくパネルを支持できる。【選択図】  図６
2004222929.tif 000002
【特許請求の範囲】
【請求項１】
２つの支柱間にパネルを着脱自在に取付けるためのパネル支持用クリップであって、前記パネル支持用クリップは前記各支柱の任意の位置に取付けられると共に、前記パネルがそのパネル面に沿って挿入可能なパネル差込口を有していることを特徴とするパネル支持用クリップ。
【請求項２】
前記パネル支持用クリップは底片と２つの挟持片から成るコ字形状をなし、前記３片が支柱面と対接し、開放側がパネル側に向けて支柱に取付けられている請求項１に記載のパネル支持用クリップ。
【請求項３】
前記２つの挟持片にそれぞれパネル差込口を設けた請求項２に記載のパネル支持用クリップ。
【請求項４】
前記支柱の下端には、該下端部と嵌合自在の支柱高さ調整体が設けられている請求項１ないし３の何れかに記載のパネル支持用クリップ。
【請求項５】
前記パネル支持用クリップが取付けられた支柱は化粧カバーに覆われている請求項１ないし４の何れかに記載のパネル支持用クリップ。
【請求項６】
前記支柱は流し台等を含むシステムキッチン用の支柱であり、前記パネルには配管類が取付けられている請求項１ないし５の何れかに記載のパネル支持用クリップ。
【発明の詳細な説明】
【０００１】
【発明の属する技術分野】
本発明は、２つの支柱間にパネルを着脱自在に取付けるためのパネル支持用クリップに関する。
【０００２】
【従来の技術】
２つの支柱間にパネルを着脱自在に取付ける手段として、例えば特許文献１に記載のパネル固定構造が知られていた。このパネル固定構造は弾性挟持片を有する固定金具を支柱に取付けると共に、パネル側には金属製の外装材を取付け、この外装材に開口部を形成して、パネルを上方から弾性挟持片がパネルの開口部に挿入されるようにして下方に押し下げて取付けている。また、他のパネル取付手段として、特許文献２に記載の衝立における衝立板の取付構造も知られていた。この取付構造は、支柱に多数の掛止孔を縦列に設け、パネルに相当する衝立板側縁に設けた掛止鉤片を掛止孔に掛入し衝立板を固定していた。
【０００３】
【特許文献１】
特開平７−２６８９９０号公報（段落００１１−００１５、図１）
【特許文献２】
特開平７−２５０７４８号公報（段落０００７、図２）
【０００４】
【発明が解決しようとする課題】
上述した特許文献１に記載のパネル固定構造は、パネル開口部を弾性挟持片に向かって挿入するだけで済むのでパネルの着脱は容易であるが、パネル重量が弾性挟持片に直接掛かるので固定金具を強固に形成しなければ成らず、しかもパネル側には開口部が形成された金属製の外装材をパネルと別体で装着する必要があり、部品構造が複雑でコスト高であった。
【０００５】
一方、特許文献２に記載の衝立板の取付構造は、衝立板側縁に設けた掛止鉤片を掛止孔に掛入するだけであるから装着や取外しには便利であるが、衝立板側縁に掛止鉤片を、支柱には多数の掛止孔を設けなければならず、しかも掛止孔の位置を正確に形成しておかないと、うまく組み立てられないという問題があった。
【０００６】
本発明は、このような状況に鑑みてなされたもので、その目的とするところは、パネルや支柱に取付のための特殊な加工を施すことなく容易に支柱に対してパネルを着脱或いは交換できるパネル支持用クリップを提供することにある。
【０００７】
【課題を解決するための手段】
上記課題を解決するために、本発明のパネル支持用クリップは、２つの支柱間にパネルを着脱自在に取付けるためのパネル支持用クリップであって、前記パネル支持用クリップは前記各支柱の任意の位置に取付けられると共に、前記パネルがそのパネル面に沿って挿入可能なパネル差込口を有していることを特徴としている。
この特徴によれば、パネルをパネル支持用クリップのパネル差込口に差し込んで組み付けることができるから、パネルや、支柱に特殊な加工を施す必要がない。
【０００８】
本発明のパネル支持用クリップにおいて、前記パネル支持用クリップは底片と２つの挟持片から成るコ字形状をなし、前記３片が支柱面と対接し、開放側がパネル側に向けて支柱に取付けられていることが好ましい。
このようにすれば、パネル支持用クリップを開口を介して支柱に容易に差し込むことができるので、パネル支持用クリップを支柱に取付けるのに手間が掛からない。
【０００９】
本発明のパネル支持用クリップにおいて、前記２つの挟持片にそれぞれパネル差込口を設けることが好ましい。
このようにすれば、２つの挟持片を利用してパネル差込口を２つ設けることにより、２本の支柱に対して２つのパネルを立設することができる。
【００１０】
本発明のパネル支持用クリップにおいて、前記支柱の下端には、該下端部と嵌合自在の支柱高さ調整体が設けられていることが好ましい。
このようにすれば、支柱の下端に支柱高さ調整体を嵌合することで、高さが高いパネルに交換することもできる。
【００１１】
本発明のパネル支持用クリップにおいて、前記パネル支持用クリップが取付けられた支柱は化粧カバーに覆われていることが好ましい。
このようにすれば、人がパネル支持用クリップに直接触れないようにして怪我等の事故が起きないようにするとともに、支柱に油やほこりが掛からないように保護することができる。
【００１２】
本発明のパネル支持用クリップにおいて、前記支柱は流し台等を含むシステムキッチン用の支柱であり、前記パネルには配管類が取付けられていることが好ましい。
このようにすれば、配管類をパネルに集約することができると共に、修理や配管交換の際も容易にパネルを取り外すことができる。
【００１３】
【発明の実施の形態】
本発明の実施形態について図面を参照して説明する。
【００１４】
図１は本発明の一実施形態に係るパネル支持用クリップを使用して左右のサイドフレームにパネルを取付けるようにしたシステムキッチンの概観斜視図、図２はサイドフレーム内の配管類をパネルによって隠蔽する状態を示す部分斜視図、図３はパネル支持用クリップの概観斜視図、図４はパネル支持用クリップの変形例を示す概観斜視図、図５はサイドフレームの内側に内側パネルが更に別の変形例であるパネル支持用クリップに取付けられた状態を示す斜視図、図６はパネル取付手順を示す説明図、図７はサイドフレームに支柱高さ調整体を挿嵌すると共に装着されたパネル支持用クリップの外周に化粧カバーを取付ける状態を示す説明図である。
【００１５】
最初に、本発明のパネル支持用クリップを使用して左右のサイドフレームにパネルを取付けるようにしたシステムキッチンの概要について説明する。
【００１６】
システムキッチン１０は、上面側にコンロ部１２ａ、調理部１２ｂ、流し台１２ｃ、及び左右のサイドフレーム１２ｄ、１２ｅないし、流し台１２ｃ前面のカウンターフレーム１２ｆ等を有するフレーム部１２と、各種サイズの物品収納ユニット体１４ａ、１４ｂ、１４ｃ、１４ｄから成るキャビネット部１４で構成されている。
【００１７】
キャビネット部１４は、物品収納ユニット体１４ａ〜１４ｄとしてフレーム部１２と分離独立して構成されているので、フレーム部１２の下部に形成されている空間部１３に適宜選択して納めることができるのであるが、この空間部１３を有効に利用するには、その空間部１３の容積が、１個の物品収納ユニット体の、あるいは複数の物品収納ユニット体を組み合わせたものの縦、横、高さの整数倍になるように、物品収納ユニット体のサイズが設定される。
【００１８】
システムキッチンの利用者は、自分が使いやすい物品収納ユニット体１４ａ〜１４ｄを選定して、フレーム部１２の下部に形成されている空間部１３に納める。この物品収納ユニット体は各種のサイズのものが用意されているので、２段、３段と縦に重ねたり、あるいは奥側と手前側に並べて収納することもできる。
【００１９】
一方、流し台１２ｃの排水口２２に接続される排水管２５は右側サイドフレーム１２ｅの内部に収容され、床面Ｆを貫通して床下から外部の図示しない排水管に連通接続されている。そして、この排水管２５には、下端に清掃口を設けた排水トラップ２６が設けられている。
【００２０】
また、右側サイドフレーム１２ｅの収納空間２８内には、図示しない給水器側から床面Ｆを通して配管される２本の水道管２４の一部が収容されて、流し台１２ｃ前面のカウンターフレーム１２ｆ内部を通して流し台１２ｃ前面の蛇口２０に接続されている。そして、右側サイドフレーム１２ｅ内部の水道管２４を構成する温水管２４ａと、冷水管２４ｂには仕切り弁Ｖ１，Ｖ２が設けられている。
【００２１】
更に、左側サイドフレーム１２ｄの収納空間内には、外部の図示しないガス本管に連結されたガス管３２が床面Ｆを貫通して立ち上がり、コンロ部１２ａに接続されている。
【００２２】
次に、本発明に係るパネル支持用クリップに付き図２〜図６を参照して説明する。
【００２３】
パネル支持用クリップ（以下パネル用クリップと称する）は、符号１ａで示されており、このパネル用クリップ１ａは、図３に示すように、底片５と２つの挟持片６ａ，６ｂから成るコ字形状に板材を折曲形成したもので、両挟持片６ａ，６ｂの先端には、外部パネル２（図６参照）及び内部パネル４が（図２参照）パネル面に沿って挿入されるパネル差込口８ａ，８ｂが形成されると共に、挟持片６ａ，６ｂの対向する開口側内側先端面には所定厚味の抜止め板Ｓ１，Ｓ２が貼着されている。
【００２４】
パネル用クリップ１ａは、底片５と２つの挟持片６ａ，６ｂから成る３片が、断面角型に形成される支柱Ｈ１（またはＨ２）の面と対接し、開放側がパネル側に向けて支柱Ｈ１（またはＨ２）の任意の位置に取付けられるようになっている。
【００２５】
これら抜止め板Ｓ１，Ｓ２は、角型支柱Ｈ１（またはＨ２）にパネル用クリップ１ａを装着した際、それらの内側端縁が支柱Ｈ１（またはＨ２）の内側角部に位置して、パネル用クリップ１ａが支柱Ｈ１（またはＨ２）から外側に抜け出ないように位置決め貼着されている。
【００２６】
パネル用クリップ１ａは、底片５の上下端部に外部に突出する一対の折曲片７ａ，７ｂが形成され、また両挟持片６ａ，６ｂの上下端部にも外部に突出する一対の折曲片９が形成され、後述する化粧カバー３４（図７参照）の位置決め当接部として機能している。
【００２７】
また、図４には別のパネル用クリップ１ｂが示されており、このパネル用クリップ１ｂは、挟持片６ａ，６ｂの対向する開口側内側先端面に、一部切り欠かれていて、先端が内側に向けて突出した弾性傾斜片Ｐ１，Ｐ２が形成されている。この弾性傾斜片Ｐ１，Ｐ２により支柱Ｈ１（またはＨ２）からパネル用クリップ１ｂが容易に外側に抜け出ないようにしている。
【００２８】
図５には更に別のパネル用クリップ１ｃが示されており、パネル用クリップ１ｃは、挟持片６ａ，６ｂの対向する開口側内側面に抜止め板Ｓ１，Ｓ２や弾性傾斜片Ｐ１，Ｐ２に代えて底片５の中央にねじ孔Ｔを穿設した構成となっており、止めネジ１１を介して支柱Ｈ１（またはＨ２）に止着できるようになっている。なお、抜止め板Ｓ１，Ｓ２あるいは弾性傾斜片Ｐ１，Ｐ２を設けた上で更に止めネジで螺着するようにしてもよい。
【００２９】
次に、図５，６に基づいて、２本の支柱Ｈ１，Ｈ２にパネル用クリップ１ｃを用いて外部及び内部パネル２，４を装着する手順について説明する。
【００３０】
先ず、パネル用クリップ１ｃは、サイドフレーム１２ｅの奥に配置される支柱Ｈ２の上下に止めネジ１１を介して止着し、パネル用クリップ１ｃのパネル差込口８ａ，８ｂに矩形板状の外部パネル２及び内部パネル４の一側端をそれぞれパネル面に沿って挿入する。
【００３１】
そこで、手前側の支柱Ｈ１の上下にパネル用クリップ１ｃを開口側からそれぞれ装着し、同時にパネル差込口８ａ，８ｂに外部パネル２及び内部パネル４の他側端を挿入する。尚、内部パネル４は、排水トラップ２６を備えた大径の排水管２５の収容空間を確保するために、図５に示すように、前後に内側に張り出す折り曲げ部が形成されており、両側端にはパネル差込口８ａ，８ｂに挿入するために取付け片４ａが両支柱Ｈ１，Ｈ２の内側側面に並行に形成されている。
【００３２】
両支柱Ｈ１，Ｈ２間の両側面に外部パネル２及び内部パネル４が取付けられると、各種サイズの物品収納ユニット体１４ａ、１４ｂ、１４ｃ、１４ｄから成るキャビネット部１４をフレーム部１２の下部に形成されている空間部１３に収容するために、左右のサイドフレーム１２ｄ、１２ｅの高さがそれらの高さに合わせて設定される。
【００３３】
そこで、高さを調整するために、図７に示すように、支柱Ｈ１，Ｈ２の下端から、これら支柱Ｈ１，Ｈ２に外嵌可能な角管で形成された高さ調整体３０を挿入し、適正な高さが設定されたところでねじ孔Ｔ１，Ｔ２を介して螺挿した止めネジ３３により固定することで、支柱Ｈ１，Ｈ２の高さが設定される。
【００３４】
最後に、パネル用クリップ１ｃが装着された支柱Ｈ１，Ｈ２の外部に断面コ字形に形成された化粧カバー３４を、パネル用クリップ１底片５の折曲片７ａ，７ｂ乃至両挟持片６ａ，６ｂ上下の折曲片７ａ，７ｂに当接するまで挿入することで支柱Ｈ１，Ｈ２の外周が化粧カバーで覆われる。
【００３５】
従って、上記のように構成されたパネル用クリップ１ａ〜１ｃによれば、パネル２，４をパネル用クリップ１のパネル差込口８ａ，８ｂに差し込んで組み付けることができるから、パネル２，４や、支柱Ｈ１，Ｈ２に特殊な加工を施すことなく取付けることができる。
【００３６】
また、パネル用クリップ１ａ〜１ｃが、底片５と２つの挟持片６ａ，６ｂから成るコ字形状をなし、開口を介して支柱Ｈ１，Ｈ２に容易に差し込むことができるので、パネル用クリップを支柱Ｈ１，Ｈ２に取付けるのに手間が掛からない。
【００３７】
更に、２つの挟持片６ａ，６ｂを利用してパネル差込口８ａ，８ｂを２つ設けることにより、２本の支柱Ｈ１，Ｈ２に対して２つのパネル２，４を立設することができる。
【００３８】
そして、支柱Ｈ１，Ｈ２の下端には、高さ調整体３０を嵌合することで、物品収納ユニット体１４ａ、１４ｂ、１４ｃ、１４ｄから成るキャビネット部１４の高さに合わせて調整することができ、高さを変更した場合でも高さが高いパネルに交換することもできる。
【００３９】
そしてまた、パネル用クリップ１ａ〜１ｃが取付けられた支柱Ｈ１，Ｈ２は化粧カバー３４に覆われているので、人がパネル用クリップ１に直接触れないようにして怪我等の事故が起きないようにするとともに、支柱Ｈ１，Ｈ２に油やほこりが掛からないように保護することができる。
【００４０】
更に、支柱Ｈ１，Ｈ２は、流し台等を含むシステムキッチン用の左右のサイドフレーム１２ｄ、１２ｅを構成する支柱であり、支柱Ｈ１，Ｈ２間に両パネル２，４によって形成される内部空間には配管類が収容されるので、配管類を両パネル２，４内に集約することができると共に、修理や配管交換の際も容易にパネル２，４を取り外すことができる。
【００４１】
【発明の効果】
本発明は以下の効果を奏する。
【００４２】
（ａ）請求項１項の発明によれば、パネルをパネル支持用クリップのパネル差込口に差し込んで組み付けることができるから、パネルや、支柱に特殊な加工を施す必要がない。
【００４３】
（ｂ）請求項２項の発明によれば、パネル支持用クリップを開口を介して支柱に容易に差し込むことができるので、パネル支持用クリップを支柱に取付けるのに手間が掛からない。
【００４４】
（ｃ）請求項３項の発明によれば、２つの挟持片を利用してパネル差込口を２つ設けることにより、２本の支柱に対して２つのパネルを立設することができる。
【００４５】
（ｄ）請求項４項の発明によれば、支柱の下端に支柱高さ調整体を嵌合することで、高さが高いパネルに交換することもできる。
【００４６】
（ｅ）請求項５の発明によれば、人がパネル支持用クリップに直接触れないようにして怪我等の事故が起きないようにするとともに、支柱に油やほこりが掛からないように保護することができる。
【００４７】
（ｆ）請求項６の発明によれば、配管類をパネルに集約することができると共に、修理や配管交換の際も容易にパネルを取り外すことができる。
【図面の簡単な説明】
【図１】本発明の一実施形態に係るパネル支持用クリップを使用して左右のサイドフレームにパネルを取付けるようにしたシステムキッチンの概観斜視図である。
【図２】サイドフレーム内の配管類をパネルによって隠蔽する状態を示す部分斜視図である。
【図３】パネル支持用クリップの概観斜視図である。
【図４】パネル支持用クリップの変形例を示す概観斜視図である。
【図５】サイドフレームの内側に内側パネルが更に別の変形例であるパネル支持用クリップに取付けられた状態を示す斜視図である。
【図６】パネル取付手順を示す説明図である。
【図７】サイドフレームに支柱高さ調整体を挿嵌すると共に装着されたパネル支持用クリップの外周に化粧カバーを取付ける状態を示す説明図である。
【符号の説明】
１ａ，１ｂ，１ｃ      パネル用クリップ（パネル支持用クリップ）
２                    外部パネル
４                    内部パネル
４ａ                  取付け片
５                    底片
６ａ，６ｂ            挟持片
７ａ，７ｂ            折曲片
８ａ，８ｂ            パネル差込口
９                    折曲片
１０                  システムキッチン
１１                  止めネジ
１２                  フレーム部
１２ａ                コンロ部
１２ｂ                調理部
１２ｃ                流し台
１２ｄ                左側サイドフレーム
１２ｅ                右側サイドフレーム
１２ｆ                カウンターフレーム
１３                  空間部
１４                  キャビネット部
１４ａ〜１４ｄ        物品収納ユニット体
２０                  蛇口
２２                  排水口
２４                  水道管
２４ａ                温水管
２４ｂ                冷水管
２５                  排水管
２６                  排水トラップ
２８                  収納空間
３０                  調整体
３２                  ガス管
３３                  止めネジ
３４                  化粧カバー
Ｔ，Ｔ１，Ｔ２        ねじ孔
Ｈ１，Ｈ２            支柱
Ｆ                    床面
Ｐ１，Ｐ２            弾性傾斜片
Ｓ１，Ｓ２            抜止め板
Ｖ１，Ｖ２            仕切り弁
【図１】
2004222929.tif 000003
【図２】
2004222929.tif 000004
【図３】
2004222929.tif 000005
【図４】
2004222929.tif 000006
【図５】
2004222929.tif 000007
【図６】
2004222929.tif 000008
【図７】
2004222929.tif 000009